(57)【要約】      （修正有）【課題】シャッターカーテンの操作紐に起因する不快音を防止することが可能なカバー材を提供する。【解決手段】シャッターカーテン５の下端部から垂下する操作紐６の下端部に設けられるとともに、表面に磁石が取り付けられる把持用の吊玉を覆うものであり、弾力性を有するとともに、ない壁面と前記吊玉の表面との間に空間部を形成するようにして該吊玉を収容する中空状のカバー本体を備えており、このカバー本体の上面には、前記操作紐６を挿通する挿通孔が形成されていることを特徴とするカバー材１０。これにより、弾力性を有する中空状のカバー本体に、吊玉を収容することができるとともに、カバー材を操作紐に確実に装着させることができる。【選択図】図１
0003151016.tif 000002
【実用新案登録請求の範囲】
【請求項１】
シャッターカーテンの下端部から垂下する操作紐の下端部に設けられるとともに、表面に磁石が取り付けられる把持用の吊玉を覆うカバー材であって、
弾力性を有するとともに、内壁面と前記吊玉の表面との間に空間部を形成するようにして該吊玉を収容する中空状のカバー本体を備えており、
このカバー本体の上面には、前記操作紐を挿通する挿通孔が形成されていることを特徴とするカバー材。
【請求項２】
請求項１に記載のカバー材において、
前記カバー本体の下面には、前記吊玉を出し入れ可能とする開口部が形成されていることを特徴とするカバー材。
【請求項３】
請求項２に記載のカバー材において、
前記カバー本体は、下面に前記開口部を有する円筒状の胴部と、
この胴部の上端縁に一体形成されるとともに、上面に前記挿通孔を有する円錐台筒状の頭部とからなることを特徴とするカバー材。
【請求項４】
請求項１〜３のいずれか一項に記載のカバー材において、
前記操作紐の上端部には、前記シャッターカーテンの下端部に形成されるネジ孔に螺合するネジ部が設けられており、
前記挿通孔の口径は、このネジ部が挿通可能な大きさに設定されていることを特徴とするカバー材。
【請求項５】
請求項１〜４のいずれか一項に記載のカバー材において、
前記カバー本体は、前記挿通孔の口径を、前記操作紐を挿通可能な大きさに設定することによって、この操作紐の長さ方向に沿ってスライド自在に構成されていることを特徴とするカバー材。
【考案の詳細な説明】
【技術分野】
【０００１】
本考案は、シャッターカーテンの下端部から垂下する操作紐の下端部に設けられる把持用の吊玉を覆うカバー材に関する。
【背景技術】
【０００２】
従来、窓開口部に設けられる窓シャッターでは、シャッターケース内の巻取体に巻装されたシャッターカーテンを、その座板や座板錠に設けた操作用の紐を下方に引き操作することで引き下ろして窓開口部を閉鎖し、閉鎖状態にあるシャッターカーテンを開放する際には、シャッターカーテンを手動で持ち上げることで、巻取体に内蔵されたバランススプリングの付勢力でバランスされながらシャッターカーテンが上昇して窓開口部を開放する構成となっている（例えば、特許文献１参照）。
また、操作紐の先端には把持用の吊玉が取り付けられており、シャッターカーテンの引き下ろし動作がしやすくなっている。
さらに、吊玉の表面には磁石が取り付けられており、これによって、シャッターカーテンを引き下ろして窓開口部を閉塞する際に、吊玉を、操作紐が弛まないような位置に取り付けて保持させておくことができる。また、このように吊玉の表面に磁石を取り付けることで、この磁石を錘として利用し、シャッターカーテンを上昇させた際に、操作紐を垂直に垂らすことができるようになっている。
【先行技術文献】
【特許文献】
【０００３】
【特許文献１】特開２００４−００３３７０号公報
【考案の概要】
【考案が解決しようとする課題】
【０００４】
ところが、このように磁石を錘代わりに利用すると、シャッターカーテンを持ち上げて、カーテン最下端の座板を窓枠を形成する上枠の位置まで上昇させた際に、座板に止着した操作紐が開放された窓開口部内に垂れ下がることになる。そして、このように操作紐が窓開口部内に垂れ下がると、操作紐の先端に取り付けた吊玉が風で揺れ動き、さらに磁石の重みも相乗して、吊玉が網戸障子や窓障子等に強く当接してしまい、不快音が発生してしまう場合があった。
【０００５】
本考案の課題は、シャッターカーテンの操作紐に起因する不快音を防止することが可能なカバー材を提供することを目的とする。
【課題を解決するための手段】
【０００６】
請求項１に記載の考案は、例えば図１〜図５に示すように、シャッターカーテン５の下端部から垂下する操作紐６の下端部に設けられるとともに、表面に磁石７ａが取り付けられる把持用の吊玉７を覆うカバー材１０であって、
弾力性を有するとともに、内壁面と前記吊玉７の表面との間に空間部１４を形成するようにして該吊玉７を収容する中空状のカバー本体１１を備えており、
このカバー本体１１の上面には、前記操作紐６を挿通する挿通孔１２が形成されていることを特徴とする。
【０００７】
請求項１に記載の考案によれば、前記弾力性を有するとともに、内壁面と前記吊玉７の表面との間に空間部１４を形成する中空状のカバー本体１１に、前記吊玉７を収容することができるので、前記吊玉７が風で揺れ動き、この吊玉７が網戸障子や窓障子等に当接することで発せられる不快音を確実に軽減することができる。すなわち、前記カバー本体１１が弾力性を有するとともに、前記カバー本体１１の内壁面と前記吊玉７の表面との間に空間部１４があることによって、衝撃吸収性能を高めることができ、これによって、カバー材１０が網戸障子や窓障子等に当接する際の衝撃を確実に吸収して、不快音を確実に軽減できるようになっている。
また、前記カバー本体１１の上面に前記挿通孔１２が形成されているので、この挿通孔１２に前記操作紐６を挿通しながら前記吊玉７を前記カバー本体１１内に収容することで、カバー材１０を前記操作紐６に確実に装着させることができる。
【０００８】
請求項２に記載の考案は、例えば図４に示すように、請求項１に記載のカバー材１０において、
前記カバー本体１１の下面には、前記吊玉７を出し入れ可能とする開口部１３が形成されていることを特徴とする。
【０００９】
請求項２に記載の考案によれば、前記カバー本体１１の下面に前記開口部１３が形成されているので、カバー材１０を前記操作紐６に装着させる際に、この開口部１３から前記操作紐６の上端部を入れて、さらに前記挿通孔１２に挿通し、その後、この開口部１３から吊玉７を入れるようにして、カバー材１０を前記操作紐６に装着させることができる。したがって、カバー材１０を前記操作紐６に容易に装着させることができる。
また、このように前記カバー本体１１の下面に開口部１３が形成されているので、このカバー本体１１を、前記操作紐６に沿って移動させるようにしながら、前記吊玉７を前記カバー本体１１から出し入れすることができる。
【００１０】
請求項３に記載の考案は、例えば図３および４に示すように、請求項２に記載のカバー材１０において、
前記カバー本体１１は、下面に前記開口部１３を有する円筒状の胴部１１ａと、
この胴部１１ａの上端縁に一体形成されるとともに、上面に前記挿通孔１２を有する円錐台筒状の頭部１１ｂとからなることを特徴とする。
【００１１】
請求項３に記載の考案によれば、前記カバー本体１１が、前記円筒状の胴部１１ａと、前記円錐台筒状の頭部１１ｂとからなるので、例えば前記吊玉７が、この吊玉７の下部が膨出湾曲状に形成された場合であっても、この吊玉７を確実に前記カバー本体１１内に収容することができる。
【００１２】
請求項４に記載の考案は、例えば図１〜図３に示すように、請求項１〜３のいずれか一項に記載のカバー材１０において、
前記操作紐６の上端部には、前記シャッターカーテン５の下端部に形成されるネジ孔５ｂに螺合するネジ部６ａが設けられており、
前記挿通孔１２の口径は、このネジ部６ａが挿通可能な大きさに設定されていることを特徴とする。
【００１３】
請求項４に記載の考案によれば、前記挿通孔１２の口径が、前記ネジ部６ａが挿通可能な大きさに設定されているので、前記ネジ部６ａを、前記挿通孔１２に挿通させることができる。これによって、カバー材１０を前記操作紐６により確実に装着させることができる。
【００１４】
請求項５に記載の考案は、例えば図３〜図５に示すように、請求項１〜４のいずれか一項に記載のカバー材において、
前記カバー本体１１は、前記挿通孔１２の口径を、前記操作紐６を挿通可能な大きさに設定することによって、この操作紐６の長さ方向に沿ってスライド自在に構成されていることを特徴とする。
【００１５】
請求項５に記載の考案によれば、前記カバー本体１１は、前記挿通孔１２の口径を、前記操作紐６を挿通可能な大きさに設定することによって、この操作紐６の長さ方向に沿ってスライド自在に構成されているので、前記カバー本体１１を操作紐６の長さ方向に沿ってスライドさせるようにしながら、前記吊玉７をカバー本体１１から取り出し、この吊玉７に設けられた磁石７ａを前記シャッターカーテン５に表面に取り付けて、この吊玉７を前記シャッターカーテン５の室内側面に保持させることができる。これによって、前記シャッターカーテン５を引き下ろして前記窓開口部１を覆う際に、前記操作紐６を、室内側に引き寄せて、前記シャッターカーテン５と窓障子２との間に確実に収めることができるとともに、カバー材１０を、前記シャッターカーテン５と窓障子２との間に収めておくことができる。
また、前記シャッターカーテン５を上昇させる際は、このシャッターカーテン５を上昇させる動作とともに、前記カバー本体１１が前記操作紐６の長さ方向に沿って下方にスライドするので、前記吊玉７を確実に覆うことができる。
【考案の効果】
【００１６】
本考案によれば、弾力性を有するとともに、内壁面と吊玉の表面との間に空間部を形成する中空状のカバー本体に、吊玉を収容することができるので、吊玉が風で揺れ動き、この吊玉が網戸障子や窓障子等に当接することで発せられる不快音を確実に軽減することができる。すなわち、カバー本体が弾力性を有するとともに、カバー本体の内壁面と吊玉の表面との間に空間部があることによって、衝撃吸収性能を高めることができ、これによって、カバー材が網戸障子や窓障子等に当接する際の衝撃を確実に吸収して、不快音を確実に軽減できるようになっている。
また、カバー本体の上面に挿通孔が形成されているので、この挿通孔に操作紐を挿通しながら吊玉をカバー本体内に収容することで、カバー材を操作紐に確実に装着させることができる。
【図面の簡単な説明】
【００１７】
【図１】窓開口部の周囲を示しており、シャッターカーテンが上方に巻き上げられた状態を示す側断面図である。
【図２】窓開口部の周囲を示しており、シャッターカーテンによって窓開口部を覆っている状態を示す側断面図である。
【図３】操作紐と、この操作紐に装着されたカバー材とを示す拡大図である。
【図４】カバー材を示す側断面図である。
【図５】吊玉を示す拡大図である。
【図６】窓開口部周囲の一部を示しており、シャッターカーテンによって窓開口部を覆っている状態を示す斜視図である。
【考案を実施するための形態】
【００１８】
以下、図面を参照して本考案の実施の形態について説明する。
図１は窓開口部の周囲の一例を示す側断面図である。
図１において符号１は、窓開口部を示す。この窓開口部１は、屋外に面する壁に形成されており、この窓開口部１に嵌め込まれる窓枠には、窓障子２，２が設けられており、これら窓障子２，２によって窓開口部１を開閉できるようになっている。
また、この窓開口部１が形成された壁の屋外側面には、この窓開口部１を被うためのシャッター装置３が設けられている。
このシャッター装置３は、前記窓開口部１の上方に位置するシャッターボックス４と、このシャッターボックス４内に収納されるとともに前記窓開口部１を覆うシャッターカーテン５とを備えている。
【００１９】
前記シャッターカーテン５は、図１および図２に示すように、前記シャッターボックス４内の巻取体４ａに巻装されており、図３に示すように、このシャッターカーテン５の下端部に位置するとともに、前記窓開口部１を覆う際に、この窓開口部１に嵌め込まれた窓枠の下枠１ａに当接する座板５ａを備えている。
なお、このシャッターカーテン５は金属製であり、磁石が付くように設定されている。
【００２０】
そして、この座板５ａには、この座板５ａから垂下するようにして、前記シャッターカーテン５を手動で引き下ろすための操作紐６が設けられている。また、この操作紐６の下端部には、図３および図５に示すように、把持用の吊玉７が設けられており、この吊玉７を把持しながら前記シャッターカーテン５を引き下ろすことによって、例えば吊玉７がない場合に比して格段にシャッターカーテン５の引き下ろし操作がしやすい。
【００２１】
この吊玉７は、図５に示すように、正面視において、この吊玉７の下部が膨出湾曲状に形成されている。つまり、水滴をデザイン化する際に用いられるような形状となっている。また、この吊玉７は、このように略水滴形状となっているが厚みのある部材ではなく、平たく形成されている。
なお、前記吊玉７には、この吊玉７を前記シャッターカーテン５の室内側面に取り付けて保持させるための磁石７ａが設けられている。この磁石７ａは、前記シャッターカーテン５を下ろした際に、前記操作紐６を緊張させて弛まないような前記シャッターカーテン５の位置に取り付けられている。
【００２２】
また、図３に示すように、前記操作紐６の上端部にはネジ部６ａが設けられており、前記シャッターカーテン５の座板５ａには、このネジ部６ａが螺合するネジ孔５ｂが形成されている。
【００２３】
ここで、図３は、前記操作紐６と、この操作紐６に装着されたカバー材１０とを示す拡大図である。このカバー材１０は、弾力性を有するとともに前記吊玉７を収容する中空状のカバー本体１１を備えている。
また、図４に示すように、このカバー本体１１の上面には、前記操作紐６を挿通する挿通孔１２が形成されており、下面には、前記吊玉７を出し入れ可能とする開口部１３が形成されている。
【００２４】
前記カバー本体１１は、図３および図４に示すように、下面に前記開口部１３を有する円筒状の胴部１１ａと、この胴部１１ａの上端縁に一体形成されるとともに、上面に前記挿通孔１２を有する円錐台筒状の頭部１１ｂとからなる。
また、このカバー本体１１は、上述のように弾力性を有するものであり、例えばゴムや、ポリウレタン樹脂等の各種樹脂によって構成される。
【００２５】
なお、前記胴部１１ａと頭部１１ｂとで形成される前記カバー本体１１内の前記吊玉７を収容する空間は、前記吊玉７の大きさよりも広くなるように形成されている。
すなわち、このカバー本体１１の内壁面と、このカバー本体１１に収容される吊玉７の表面との間に空間部１４を形成できるようになっている。この空間部１４とは、前記カバー本体１１の周方向に沿う内壁面と、前記吊玉７の表面との間に形成される隙間を指している。このように隙間である空間部１４が形成されることによって、前記操作紐６が風に揺られて窓障子等に強く当接する際に、カバー本体１１の弾力性を効果的に働かせることができる。つまり、前記カバー本体１１の内壁面と吊玉７の表面とが密着している場合は、窓障子等に当接する際の衝撃をカバー本体１１の弾力性のみで吸収しなければならないが、前記カバー本体１１の内壁面と吊玉７の表面との間に隙間である空間部１４が形成されていれば、前記カバー本体１１の胴部１１ａや頭部１１ｂが潰れるようにして瞬間的に弾性変形するためのスペースを確保できるため、窓障子等に当接する際の衝撃を効果的に吸収できるようになっている。これによって、前記カバー本体１１による衝撃吸収性能を高めることが可能となっている。
【００２６】
また、前記挿通孔１２は、上述のように円錐台筒状の頭部１１ａの上面に、この上面の面積よりも若干狭い開口面積となるように形成されており、この挿通孔１２の口径は、前記ネジ部６ａが挿通可能な大きさとなっている。
【００２７】
また、前記開口部１３は、上述のように前記胴部１１ａが円筒状に形成されていることから、この胴部１１ａの中空部の直径と等しい直径となるように形成されている。したがって、この開口部１３は、前記胴部１１ａに対して開口面積が最大限広くなるように設定されている。
【００２８】
さらに、前記カバー本体１１は、図３〜図５に示すように、前記挿通孔１２の口径を、前記操作紐６を挿通可能な大きさに設定することによって、この操作紐６の長さ方向に沿ってスライド自在に構成されている。
これによって、前記カバー本体１１を操作紐６の長さ方向に沿ってスライドさせるようにしながら、前記吊玉７をカバー本体１１から取り出すことができる。
また、前記シャッターカーテン５を上昇させる際は、このシャッターカーテン５を上昇させる動作とともに、前記カバー本体１１が前記操作紐６の長さ方向に沿って下方にスライドすることになる。
【００２９】
次に、前記カバー材１０を用いる際の形態について説明する。
前記カバー材１０は、まず、前記操作紐６が座板５ａから取り外された状態で、この操作紐６に装着させる。すなわち、前記ネジ部６ａを回転させて抜き出しておき、このネジ部６ａを前記カバー本体１１の開口部１３から挿入し、前記挿通孔１２を挿通させる。そして、吊玉７が前記カバー本体１１内に収容されるまで、前記ネジ部６ａを引っ張ることによって、前記カバー材１０を前記操作紐６に装着させる。
【００３０】
続いて、前記ネジ部６ａを、前記座板５ａのネジ孔５ｂに再度螺合させて、図３に示すように操作紐６を前記シャッターカーテン５に固定する。このようにして、前記カバー材１０付き操作紐６を前記シャッターカーテン５に装備させることができる。
【００３１】
このようにして取り付けられた操作紐６を用いて前記シャッターカーテン５を操作する際は、図１に示すように、前記シャッターカーテン５が上方に巻き上げられた状態の時に、前記吊玉７を、前記カバー材１０ごと把持し、そのまま下方へと引き下ろすことによって、図２に示すように、前記シャッターカーテン５を下方に繰り出すことができる。
【００３２】
また、前記操作紐６は、室内側に引き寄せておき、前記シャッターカーテン５と窓障子２との間に収めるようにする。
なお、以上のようにして前記シャッターカーテン５を引き下ろして前記窓開口部１を覆った後は、図６に示すように、前記カバー材１０を前記操作紐６に沿って移動させるようにしながら、前記吊玉７を前記カバー本体１１から取り出し、この吊玉７に設けられた磁石７ａを前記シャッターカーテン５に表面に付けることによって、前記操作紐６を前記シャッターカーテン５の表面に保持しておく。
この時、前記カバー材１０は弾力性を有しているため、前記シャッターカーテン５と窓障子２との間に確実に収めることが可能となっている。
【００３３】
本実施の形態によれば、前記弾力性を有するとともに、内壁面と前記吊玉７の表面との間に空間部１４を形成する中空状のカバー本体１１に、前記吊玉７を収容することができるので、前記吊玉７が風で揺れ動き、この吊玉７が網戸障子や窓障子等に当接することで発せられる不快音を確実に軽減することができる。すなわち、前記カバー本体１１が弾力性を有するとともに、前記カバー本体１１の内壁面と前記吊玉７の表面との間に空間部１４があることによって、衝撃吸収性能を高めることができ、これによって、カバー材１０が網戸障子や窓障子等に当接する際の衝撃を確実に吸収して、不快音を確実に軽減できるようになっている。
また、前記カバー本体１１の上面に前記挿通孔１２が形成されているので、この挿通孔１２に前記操作紐６を挿通しながら前記吊玉７を前記カバー本体１１内に収容することで、カバー材１０を前記操作紐６に確実に装着させることができる。
【００３４】
また、前記カバー本体１１の下面に前記開口部１３が形成されているので、カバー材１０を前記操作紐６に装着させる際に、この開口部１３から前記操作紐６の上端部を入れて、さらに前記挿通孔１２に挿通し、その後、この開口部１３から吊玉７を入れるようにして、カバー材１０を前記操作紐６に装着させることができる。したがって、カバー材１０を前記操作紐６に容易に装着させることができる。
また、このように前記カバー本体１１の下面に開口部１３が形成されているので、このカバー本体１１を、前記操作紐６に沿って移動させるようにしながら、前記吊玉７を前記カバー本体１１から出し入れすることができる。
【００３５】
また、前記カバー本体１１が、前記円筒状の胴部１１ａと、前記円錐台筒状の頭部１１ｂとからなるので、例えば前記吊玉７が、この吊玉７の下部が膨出湾曲状に形成された場合であっても、この吊玉７を確実に前記カバー本体１１内に収容することができる。
【００３６】
また、前記挿通孔１２の口径が、前記ネジ部６ａが挿通可能な大きさに設定されているので、前記ネジ部６ａを、前記挿通孔１２に挿通させることができる。これによって、カバー材１０を前記操作紐６により確実に装着させることができる。
【００３７】
また、前記カバー本体１１は、前記挿通孔１２の口径を、前記操作紐６を挿通可能な大きさに設定することによって、この操作紐６の長さ方向に沿ってスライド自在に構成されているので、前記カバー本体１１を操作紐６の長さ方向に沿ってスライドさせるようにしながら、前記吊玉７をカバー本体１１から取り出し、この吊玉７に設けられた磁石７ａを前記シャッターカーテン５に表面に取り付けて、この吊玉７を前記シャッターカーテン５の室内側面に保持させることができる。これによって、前記シャッターカーテン５を引き下ろして前記窓開口部１を覆う際に、前記操作紐６を、室内側に引き寄せて、前記シャッターカーテン５と窓障子２との間に確実に収めることができるとともに、カバー材１０を、前記シャッターカーテン５と窓障子２との間に収めておくことができる。
また、前記シャッターカーテン５を上昇させる際は、このシャッターカーテン５を上昇させる動作とともに、前記カバー本体１１が前記操作紐６の長さ方向に沿って下方にスライドするので、前記吊玉７を確実に覆うことができる。
【符号の説明】
【００３８】
１  窓開口部
５  シャッターカーテン
６  操作紐
７  吊玉
１０  カバー材
１１  カバー本体
１２  挿通孔
１３  開口部
【図１】
0003151016.tif 000003
【図２】
0003151016.tif 000004
【図３】
0003151016.tif 000005
【図４】
0003151016.tif 000006
【図５】
0003151016.tif 000007
【図６】
0003151016.tif 000008